(57)【要約】【課題】  より画面が乱れにくいチャンネル切り替え技術を提供する。【解決手段】  ＧＰＳ部と、地図情報を内部に持ち、前記ＧＰＳ部より現在位置を習得し、地図情報と照会して、現在の県情報を得る位置検索部と、前記県情報を基に、県が移動した場合、ＥＰＧを基に同じ番組を放送している局を検出する局検出部と、前記局情報を基にチューナーのチャンネルを切り替える切り替え部を持つことを特徴とする放送受信装置。  またＧＰＳ部と、地図情報を内部に持ち、前記ＧＰＳ部より現在位置を習得し、地図情報と照会して、現在の県情報を得る位置検索部と、前記県情報を基に、県が移動した場合、ＥＰＧを基に同じ番組を放送している局を検出する局検出部と、前記局情報を基に予約情報のチャンネルを切り替える予約切り替え部を持つことを特徴とする放送受信装置。【選択図】      図２
2010021666.tif 000002
【特許請求の範囲】
【請求項１】
ＧＰＳ部と、
地図情報を内部に持ち、前記ＧＰＳ部より現在位置を習得し、地図情報と照会して、現在の県情報を得る位置検索部と、
前記県情報を基に、県が移動した場合、ＥＰＧを基に同じ番組を放送している局を検出する局検出部と、
前記局情報を基にチューナーのチャンネルを切り替える切り替え部を持つことを特徴とする放送受信装置。
【請求項２】
ＧＰＳ部と、
地図情報を内部に持ち、前記ＧＰＳ部より現在位置を習得し、地図情報と照会して、現在の県情報を得る位置検索部と、
前記県情報を基に、県が移動した場合、ＥＰＧを基に同じ番組を放送している局を検出する局検出部と、
前記局情報を基に予約情報のチャンネルを切り替える予約切り替え部を持つことを特徴とする放送受信装置。
【請求項３】
ＧＰＳ機能を実施し、
地図情報を内部に持ち、前記ＧＰＳ機能の実施結果より現在位置を習得し、地図情報と照会して、現在の県情報を得る位置検索を行い、
前記県情報を基に、県が移動した場合、ＥＰＧを基に同じ番組を放送している局を検出する局検出を行い、
前記局情報を基にチューナーのチャンネルを切り替えることを特徴とする放送受信方法。
【請求項４】
ＧＰＳ機能を実施し、
地図情報を内部に持ち、前記ＧＰＳ機能の実施結果より現在位置を習得し、地図情報と照会して、現在の県情報を得る位置検索を行い、
前記県情報を基に、県が移動した場合、ＥＰＧを基に同じ番組を放送している局を検出する局検出を行い、
前記局情報を基に予約情報のチャンネルを切り替えることを特徴とする放送受信方法。
【発明の詳細な説明】
【技術分野】
【０００１】
本発明は、放送受信装置及び放送受信方法に係わり、特に自動チャンネル切り替え付ワンセグ視聴機に関する。
【背景技術】
【０００２】
デジタル放送では、放送信号に番組案内情報、すなわち電子番組ガイド(Ｅ Ｐ Ｇ ： E l e c t r o n i c P r o g r a m G u i d e )のデータが多重化されている。デジタル放送を受信する放送受信装置は、ユーザから番組案内表示が指示された場合に、番組案内情報（Ｅ Ｐ Ｇ ） をもとにして各チャンネルの放送番組を表示し、所望の番組を選択できるようになっている。
【０００３】
近年、放送受信装置を自動車などに搭載して使用することを想定し、移動に伴って番組案内表示を変更する番組案内表示方法が提案されている（例えば、特許文献１ ） 。特許文献１ に記載された番組案内表示方法は、車載テレビにおいて、目的地到達前に放送が終了する番組を容易に認識できるように、常に受信可能な番組のみを表示する番組表を作成するものである。
【０００４】
しかしながら、特許文献１ に記載された番組案内表示方法では、目的地に到着前に視聴可能な番組を容易に識別可能な番組表を作成できるものの、移動受信では放送エリアが変わることもあり、移動前に受信可能だった番組が放送開始時に視聴できなくなってしまう場合もある。このように、移動先の放送エリアが現在の放送エリアと異なってしまう場合には、ユーザに対して適切な番組表を提供することができなかった。
【０００５】
他方、デジタル放送を移動しながら受信する場合に放送エリアが変化したとしても適切な番組表を提供することができる技術が特許文献２には記載されている。しかしながら受信エラーを発生してからチャンネルを切り替えるため、画面が乱れやすいという問題があった。
【特許文献１】特開２００２−３２０１６７号公報
【特許文献２】特開２００７−１５９１６３号公報
【発明の開示】
【発明が解決しようとする課題】
【０００６】
本発明は、より画面が乱れにくいチャンネル切り替え技術を提供することを目的とする。
【課題を解決するための手段】
【０００７】
上記課題を解決するために、本発明の請求項１に記載の放送受信装置は、ＧＰＳ部と、地図情報を内部に持ち、前記ＧＰＳ部より現在位置を習得し、地図情報と照会して、現在の県情報を得る位置検索部と、前記県情報を基に、県が移動した場合、ＥＰＧを基に同じ番組を放送している局を検出する局検出部と、前記局情報を基にチューナーのチャンネルを切り替える切り替え部を持つことを特徴とする。
【０００８】
また、本発明の請求項２に記載の放送受信装置は、ＧＰＳ部と、地図情報を内部に持ち、前記ＧＰＳ部より現在位置を習得し、地図情報と照会して、現在の県情報を得る位置検索部と、前記県情報を基に、県が移動した場合、ＥＰＧを基に同じ番組を放送している局を検出する局検出部と、前記局情報を基に予約情報のチャンネルを切り替える予約切り替え部を持つことを特徴とする。
【０００９】
また、本発明の請求項３に記載の放送受信方法は、ＧＰＳ機能を実施し、地図情報を内部に持ち、前記ＧＰＳ機能の実施結果より現在位置を習得し、地図情報と照会して、現在の県情報を得る位置検索を行い、前記県情報を基に、県が移動した場合、ＥＰＧを基に同じ番組を放送している局を検出する局検出を行い、前記局情報を基にチューナーのチャンネルを切り替えることを特徴とする。
【００１０】
また、本発明の請求項４に記載の放送受信方法は、ＧＰＳ機能を実施し、地図情報を内部に持ち、前記ＧＰＳ機能の実施結果より現在位置を習得し、地図情報と照会して、現在の県情報を得る位置検索を行い、前記県情報を基に、県が移動した場合、ＥＰＧを基に同じ番組を放送している局を検出する局検出を行い、前記局情報を基に予約情報のチャンネルを切り替えることを特徴とする。
【発明の効果】
【００１１】
本発明によれば、より画面が乱れにくいチャンネル切り替え技術が得られる。
【発明を実施するための最良の形態】
【００１２】
以下、本発明の実施形態を説明する。
【実施例１】
【００１３】
本発明による実施形態１を図１乃至図２を参照して説明する。
図１は本発明のワンセグ視聴機を実現するための一実施形態を示す録再装置におけるブロック図である。
この装置は従来のワンセグ視聴機に GPS（Global Positioning System）１００ と後で説明する各TV放送局ごとに定義されているIDを保持するRAM１０８、そのID比較を行うD-PRO部１０７が追加されている。
【００１４】
各ブロックの説明を以下に行う。
本実施形態の録再装置は、図に示すように、ＭＰＵ部１０１、表示部１０２、デコーダ部１０３、エンコーダ部１０４、ＴＶチューナー部１０５、ＳＴＣ部（System  Time  Counter）１０６、Ｄ−ＰＲＯ部１０７、一時記憶部１０８、ディスクドライブ部１０９、キー入力部１１０、Ｖミキシング部１１１、フレームメモリ部１１２、ＴＶ用Ｄ／Ａ部１１３と、地上波デジタルチューナー部１１４と、図示せぬＩＥＥＥ1394Ｉ／Ｆ部、イーサネット（Ｒ）Ｉ／Ｆ部、リモコン受信部と、さらに、ＳＴＢ部１１５、ＨＤＤ部１１６等により構成されている。
【００１５】
エンコーダ部１０４内は、Ａ／Ｄ部、ビデオエンコード部、オーディオエンコード部、ＳＰエンコード部、フォーマット部、バッファメモリ部より構成され、デコード部１０３は、分離部、ビデオデコード部、ＳＰデコード部、オーディオデコード部、ＴＳパケット転送部、Ｖ−ＰＲＯ部、オーディオ用Ｄ／Ａ部より構成されている。
【００１６】
さらに、ＳＴＢ部１１５には、デジタル放送を受信するためのアンテナＡが付いている。
なお、ＳＴＣ部１０６は２７ＭＨｚベースでカウントする。
図２は本実施形態の処理の流れを示すフローチャートである。
まずステップＳ２１では、現在視聴中の番組名（SERVICE_ID or Program_number）をＤ−ＰＲＯ部１０７は一時記憶領域１０８へ記録する。
【００１７】
ステップＳ２２では、ある時間間隔で GPS１００ による位置情報をＭＰＵ部１０１は取得する。
ステップＳ２３では、位置情報により県を移動していたかどうか判別する（地図情報は装置内に予め保存しておくメモリー or ＨＤＤ or ディスク：ネットワーク等外部サーバーから習得も可能）。
【００１８】
ステップＳ２３では、４-a．移動していない場合はステップＳ２４へ、４-b．移動していた場合は移動後の県内の放送局の EPG を作成する（ステップＳ２５、局情報も同上）。
【００１９】
ステップＳ２６では、現在視聴中の番組名を一時記憶領域から取得する。
ステップＳ２６で取得した番組名が４-bで作成した EPG 内に存在するか判別（ステップＳ２７、局情報より同系列局を優先的に検索する）し、７-a．存在しない場合は再生を継続（ステップＳ２８、視聴不能になるまで続ける）、７-b．存在する場合はチャンネルを切り替える（ステップＳ２９）。
【００２０】
このように県を移動した後にその県内の放送局に対する EPG を作成し、それまでに視聴していた番組名と同じものがあった場合は、そのチャンネルに切り替えることにより、受信レベルの低下に伴って視聴品質が下落することを防ぎ、安定して視聴を続けることができる。
【実施例２】
【００２１】
本発明による実施形態２を図３乃至図４を参照して説明する。実施形態１と共通する部分は説明を省略する。
図３は図１の再生装置に各チューナーをそれぞれ２つずつ持つようにしたものである。特にデジタル放送に顕著に見られる現象であるが、チャンネルの切り替え時にユーザは数秒の切れ目を感じることになる。これはデジタル放送の信号から PSI（Program Specific Information）などの情報を取得しデコードする必要があるためで図１のブロック図に表す再生装置では避けることのできない現象である。このため、図３における再生装置のようにそれぞれのチューナーを２つずつ（１０５ａ、１０５ｂ、１１４ａ、１１４ｂ、１１５ａ、１１５ｂ）持つことによりチャンネル切り替え時に速やかにチャンネル切り替えを行うことができるようになる。
【００２２】
さらに、この装置の予約録画機能を使用する場合は、図４に示すフローチャートのように自動的に予約録画のチャンネルを切り替える、もしくは記録領域に余裕がある場合は追加することによってユーザの予約録画が実行される可能性を高くすることができる。
【００２３】
即ちまずステップＳ４１では、予約録画を行う番組名（SERVICE_ID or Program_number）をＤ−ＰＲＯ部１０７は一時記憶領域１０８へ記録する。
【００２４】
ステップＳ２２では、ある時間間隔で GPS１００ による位置情報をＭＰＵ部１０１は取得する。
ステップＳ２３では、位置情報により県を移動していたかどうか判別する（地図情報は装置内に予め保存しておくメモリー or ＨＤＤ or ディスク：ネットワーク等外部サーバーから習得も可能）。
【００２５】
ステップＳ２３では、４-a．移動していない場合はステップＳ４４へ、４-b．移動していた場合は移動後の県内の放送局の EPG を作成する（ステップＳ２５、局情報も同上）。
【００２６】
ステップＳ４６では、予約録画を行う番組名を一時記憶領域から取得する。
ステップＳ４６で取得した番組名が４-bで作成した EPG 内に存在するか判別（ステップＳ２７、局情報より同系列局を優先的に検索する）し、７-a．存在しない場合は予約録画を継続（ステップＳ４８、視聴不能になるまで続ける）、７-b．存在する場合は予約録画を行うチャンネルを切り替える、もしくは記録領域に余裕がある場合は追加する（ステップＳ４９）。
【００２７】
上記のように実施形態の概要として、ＧＰＳで現在位置を検知し、エリアを移動した時に、ＥＧＰを併用して移動先でも同じ番組を放送している局を検出して、それを基にチューナーのチャネルを切り替え、番組内容を継続受信、又は録画予約するワンセグ視聴機を実現した。
【００２８】
なお、この発明は上記実施形態に限定されるものではなく、この外その要旨を逸脱しない範囲で種々変形して実施することができる。
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００２９】
【図１】本発明におけるワンセグ視聴機の一実施形態を示すブロック図。
【図２】同実施形態における自動チャンネル切り替えのフローチャート。
【図３】他の実施形態におけるスムーズなチャンネル切り替えをするために各種チューナーを２組ずつ持ったワンセグ視聴機のブロック図。
【図４】本実施形態における装置を使って録画予約を行う場合のフローチャート。
【符号の説明】
【００３０】
１００…GPS、１０１…ＭＰＵ部、１０２…表示部、１０３…デコーダ部、１０４…エンコーダ部、１０５…ＴＶチューナー部、１０６…ＳＴＣ部、１０７…Ｄ−ＰＲＯ部、１０８…一時記憶部、１０９…ディスクドライブ部、１１０…キー入力部、１１１…Ｖミキシング部、１１２…フレームメモリ部、１１３…ＴＶ用Ｄ／Ａ部、１１４…地上波デジタルチューナー部、１１５…ＳＴＢ部、１１６…ＨＤＤ部、Ａ…アンテナ、Ｄ…ディスク。
【図１】
2010021666.tif 000003
【図２】
2010021666.tif 000004
【図３】
2010021666.tif 000005
【図４】
2010021666.tif 000006